(57)【特許請求の範囲】
【請求項１】
上扉と下扉とからなり、開口部閉鎖時に垂直姿勢となり、開口部開放時に折り畳み姿勢となる折り戸を備えた貨物車両の荷箱の扉装置において、
前記上扉の上端部は開口部の上側に回動可能に連結されており、
前記上扉の下端部と前記下扉の上端部は回動可能に連結されており、
前記下扉には開口部の幅方向両側に設けた左右のガイドレールにそれぞれ案内されるガイドローラが設けてあり、
開口部の上方にはスプリングを備えた巻き取りシャフトが配置されており、
前記折り戸の上方への移動に伴って前記ガイドローラの軸部に連結したワイヤが前記巻き取りシャフトに巻き取られ、前記折り戸の下方への移動に伴って前記ワイヤが前記巻き取りシャフトから繰り出されるようになっており、
前記ガイドローラは前記下扉の下端面よりも下方に位置しており、
前記上扉の上端部、左右側部、前記下扉の下端部、左右側部には、開口部閉鎖時に開口部の四周に密接する水密部材が設けてある、
貨物車両の荷箱の扉装置。
【請求項２】
開口部の上側に上扉の少なくとも全幅に亘って延びる第１水切り片を設け、
上扉に当該上扉の全幅に亘って、当該上扉の上端部に設けた水密部材を外側から覆うように第２水切り片を設け、
折り戸の垂直姿勢時には、前記第１水切り片は前記第２水切り片よりも外側に位置しており、
折り戸の折り畳み姿勢時には、上扉の傾動により傾斜姿勢となった前記第２水切り片が、前記第１水切り片の下方に位置する、
請求項１に記載の貨物車両の荷箱の扉装置。
【請求項３】
前記上扉の上端部に、当該上扉の全幅に亘って延びる回動片を、当該上扉の上端部に設けた水密部材を外側から覆うように設け、
開口部の上側に上扉の少なくとも全幅に亘って延びる回動受片を設け、
前記上扉の上端部は、前記回動片を前記回動受片に回動可能に係止させることで、開口部の上側に回動可能に連結されており、
折り戸の垂直姿勢時には、前記回動片は、前記上扉の上端部に設けた水密部材よりも外側に位置しており、
折り戸の折り畳み姿勢時には、前記回動片は、前記上扉の上端部に設けた水密部材と開口部の上側との間に形成された隙間を上方から塞ぐように位置する、
請求項１に記載の貨物車両の荷箱の扉装置。
【発明の詳細な説明】
【技術分野】
【０００１】
本発明は、貨物車両の荷箱の扉装置に関するものである。
【背景技術】
【０００２】
バンタイプトラック等の貨物車両においては、荷箱の後部に荷物出し入れ用の開口が形成されており、この開口を両開き戸や、上下２枚の扉体からなる折り戸で開閉するようにしている。後者の折り戸は、二枚跳ね上げ式ドア（フォールディングドア）とも称され、例えば、特許文献１には貨物自動車の上下折戸式扉が開示されている。
【０００３】
しかしながら、従来の上下折戸式扉では、ドア重量を当該ドア重量と略同じ重量のカウンターウェイトによりバランスさせて手動開閉を行っているため、トラックに対して定められたトラック積載重量にドア重量の２倍の重量が含まれることになり、実際の積荷に許容されるトラック積載重量が少なくなってしまうという不具合がある。また、カウンターウェイトは開口部近傍に設けた筒状部の中で上下動させているので、ワイヤが切断してしまうと、修理が困難である。
【０００４】
貨物車両の荷箱に積載された荷物を搬送時・保管時を通して良好な状態に保つためには、雨水、誇り、排ガス等が開口部から荷箱内部に侵入しないように上下折戸式扉に気密性能・水密性能が要求される。また、上下折戸式扉に気密構造・水密構造を適用した場合には、気密構造・水密構造はドアの開閉操作に影響を与えないような構造である必要がある。
【特許文献１】実公平０２−４２８６５
【発明の開示】
【発明が解決しようとする課題】
【０００５】
本発明は、かかる従来の上下折戸式扉における不具合を解決することを目的とするものである。
【課題を解決するための手段】
【０００６】
本発明が採用した技術手段は、
上扉と下扉とからなり、開口部閉鎖時に垂直姿勢となり、開口部開放時に折り畳み姿勢となる折り戸を備えた貨物車両の荷箱の扉装置において、
前記上扉の上端部は開口部の上側に回動可能に連結されており、
前記上扉の下端部と前記下扉の上端部は回動可能に連結されており、
前記下扉には開口部の幅方向両側に設けた左右のガイドレールにそれぞれ案内されるガイドローラが設けてあり、
開口部の上方にはスプリングを備えた巻き取りシャフトが配置されており、
前記折り戸の上方への移動に伴って前記ガイドローラの軸部に連結したワイヤが前記巻き取りシャフトに巻き取られ、前記折り戸の下方への移動に伴って前記ワイヤが前記巻き取りシャフトから繰り出されるようになっており、
前記ガイドローラは前記下扉の下端面よりも下方に位置しており、
前記上扉の上端部、左右側部、前記下扉の下端部、左右側部には、開口部閉鎖時に開口部の四周に密接する水密部材が設けてある、貨物車両の荷箱の扉装置、である。
【０００７】
１つの態様では、前記装置において、
開口部の上側に上扉の少なくとも全幅に亘って延びる第１水切り片を設け、
上扉に当該上扉の全幅に亘って、当該上扉の上端部に設けた水密部材を外側から覆うように第２水切り片を設け、
折り戸の垂直姿勢時には、前記第１水切り片は前記第２水切り片よりも外側に位置しており、
折り戸の折り畳み姿勢時には、上扉の傾動により傾斜姿勢となった前記第２水切り片が、前記第１水切り片の下方に位置するように構成されている。
１つの態様では、前記装置において、
前記上扉の上端部に、当該上扉の全幅に亘って延びる回動片を、当該上扉の上端部に設けた水密部材を外側から覆うように設け、
開口部の上側に上扉の少なくとも全幅に亘って延びる回動受片を設け、
前記上扉の上端部は、前記回動片を前記回動受片に回動可能に係止させることで、開口部の上側に回動可能に連結されており、
折り戸の垂直姿勢時には、前記回動片は、前記上扉の上端部に設けた水密部材よりも外側に位置しており、
折り戸の折り畳み姿勢時には、前記回動片は、前記上扉の上端部に設けた水密部材と開口部の上側との間に形成された隙間を上方から塞ぐように位置するように構成されている。
【発明の効果】
【０００８】
本発明では、ワイヤを巻き取る巻き取りシャフトに備わっているスプリングによって折り戸の重量をバランスするようにしたので、カウンターウェイトを用いて折り戸の重量をバランスするものに比べて、扉装置全体の重量を軽くすることができ、トラックの積載重量を増やすことができる。
下扉に設けるガイドローラを当該下扉の下端面よりも下方に位置させることで、折り戸の四周に水密部材を設けるものでありながら、折り戸の円滑な開閉操作を確保することができる。
請求項２に記載したものでは、荷箱側と扉装置側の双方に水切り部材を設けることで、扉体の開閉時における、荷箱内への雨水の侵入を可及的に防ぐことができる。
請求項３に記載したものでは、回動片が水切り部材として機能することで、別途水切り部材を設けることなく、扉体の開閉時における、荷箱内への雨水の侵入を可及的に防ぐことができる。
【図面の簡単な説明】
【０００９】
【図１】本発明に係る貨物車両の荷箱の扉装置の概略正面図である。
【図２】本発明に係る貨物車両の荷箱の扉装置の概略側面図（開口部閉鎖状態）である。
【図３】本発明に係る貨物車両の荷箱の扉装置の概略側面図（開口部閉鎖状態から折り戸が少し屈折した状態）である。
【図４】本発明に係る貨物車両の荷箱の扉装置の概略側面図（開口部開放状態）である。
【図５】本発明に係る貨物車両の荷箱の扉装置の下扉の一部省略水平断面図であり、左側は下扉の下端部位、右図は下扉の中間部位の断面を示す。
【図６】本発明に係る貨物車両の荷箱の扉装置の下扉の下方部位を示す部分側面図である。
【図７】本発明に係る貨物車両の荷箱の扉装置の部分平面図である。
【図８】本発明の他の実施形態に係る貨物車両の荷箱の扉装置の概略正面図である。
【図９】本発明の他の実施形態に係る貨物車両の荷箱の扉装置の概略側面図（開口部閉鎖状態）である。
【図１０】本発明の他の実施形態に係る貨物車両の荷箱の扉装置の概略側面図（開口部開放状態）である。
【図１１】本発明の他の実施形態に係る貨物車両の荷箱の扉装置の上方部位を示す部分側面図（開口部閉鎖状態）である。
【図１２】本発明の他の実施形態に係る貨物車両の荷箱の扉装置の上方部位を示す部分側面図（開口部開放状態）である。
【図１３】本発明の他の実施形態に係る貨物車両の荷箱の扉装置の中央部位を示す部分側面図であり、左図は開口部閉鎖状態、右図は開口部閉鎖状態から折り戸が少し屈折した状態を示している。
【図１４】本発明の他の実施形態に係る貨物車両の荷箱の扉装置の中央部位を示す部分側面図（開口部開放状態）である。
【図１５】本発明の他の実施形態に係る貨物車両の荷箱の扉装置のロック装置を示す図であり、上図は部分正面図、下図は平面図である。
【図１６】本発明の他の実施形態に係る貨物車両の荷箱の扉装置のロック装置を示す側面図である。
【図１７】本発明の他の実施形態に係る貨物車両の荷箱の扉装置のロック装置の係止ロッドを示す側面図である。
【発明を実施するための形態】
【００１０】
図１は、貨物車両の荷箱の開口部を開閉する扉装置の正面図、図２は、同側面図である。荷箱は、天井面、左右の側壁、床面を備えており、荷箱の後端の開口には、上枠１と、左右の側枠２と、下枠３と、から方形状に形成された開口枠が設けてある。この開口枠により形成された開口部を開閉するように扉装置が設けられる。
【００１１】
扉装置は、上扉４と下扉５の２枚の扉体からなる上下折り戸である。上扉４は、正面視横長方形状であり、上端面４０と、下端面４１と、左右の側面４２と、収納室の内外にそれぞれ面する面部４３、４４と、を備えている。下扉５は、正面視横長方形状であり、上端面５０と、下端面５１と、左右の側面５２と、収納室の内外にそれぞれ面する面部５３、５４と、を備えている。
【００１２】
上扉４の下端面４１と下扉５の上端面５０はヒンジ４５を用いて屈折可能に連結されており、上扉４と下扉５とで折り戸が形成されている。開口部閉鎖姿勢では、上扉４と下扉５が垂直姿勢にあり、この時上扉４の下端面４１と下扉５の上端面５０は当接ないし近接対向している。垂直姿勢から、下扉５の下端側が上動することで、上扉４と下扉５の連結部が外側に突出するように上扉４と下扉５が折り畳まれて開口部開放姿勢となる。
【００１３】
上扉４の上端面４０はヒンジ４００を用いて開口部の上枠１に回動可能に連結されている。図示の態様では、ヒンジ４００の回動中心４０１は、開口部閉鎖姿勢にある上扉４の上端面４０よりも上方かつ上扉４の外側の面部４３よりも外側に位置しており、開口部開放時（折り畳み姿勢）では、上扉４および下扉５をより高い位置で折り畳み姿勢とすることができ、有効開口高を大きくするようにしている。
【００１４】
下扉５の下方部位には下扉５の幅方向の左右両側に位置してガイドローラ６が設けてあり、ガイドローラ６は、開口部の幅方向左右両側に立設されたガイドレール７内を上下に移動可能となっている。特に図６に示すように、ガイドローラ６は、下扉５の下端面５１よりも下側に位置して設けてあり、下扉５の下方部位に設けたガイドローラ６は、開口部閉鎖時（垂直姿勢）において、下枠３の上面３０よりも下側に位置している。すなわち、ガイドレール７の下端は、垂直姿勢にある下扉５の下端面５１及び下枠３の上面３０よりも下側に延びており、開口部閉鎖時（垂直姿勢）では、下扉５のガイドローラ６は下端面５１及び下枠３の上面３０よりも下方位置でガイドレール７に受け入れられている。
【００１５】
より具体的には、下扉５の内側の面部５４の下方部位には幅方向両端に位置してガイドローラ取付用のブラケット８が固定されており、ブラケット８の下方側は下扉５の下端面５１を越えて下方に延びており、ブラケット８の下端部には先端にガイドローラ６を備えたローラ軸６０が水平状に支持されている。
【００１６】
荷箱の天井面には、開口部寄りに位置して（上枠１に近接して）、スプリング内蔵巻き取りシャフト９が支持されている。巻き取りシャフト９は、天井面に設けたブラケット９０と、ブラケットに回転自在に支持されたシャフト９１と、シャフト９１の長さ方向端部に固定され、ワイヤ９２を巻き取る巻き取りドラム９３と、一端がブラケット９０に固定され、他端がシャフト９１に固定されたバランススプリング９４と、からなる。このように、本実施形態では、従来のカウンターウェイトに代えてバランススプリング９４が扉体の自重をバランスさせるようになっている。
【００１７】
下扉５の下方部位に設けたガイドローラ６のローラ軸６０にはワイヤ９２の下端が固定されており（図示の態様では、ローラ軸６０の基端側にワイヤ９２の下端が固定される。）、上扉４及び下扉５の開口部閉鎖時（垂直姿勢）において、折り戸（上扉４及び下扉５）の上方への移動に伴って、ガイドローラ６がガイドレール７に案内されながら上動し、ワイヤ９２の上端側が巻き取りシャフト９の巻き取りドラム９３に巻き取られていき、上扉４と下扉５が折り畳まれながら全体として上動して折り畳み姿勢となって、開口部が開放される。上扉４及び下扉５の開口部開放時（折り畳み姿勢）において、折り戸（上扉４及び下扉５）の下方への移動に伴って、ガイドローラ６がガイドレール７に案内されながら下動し、巻き取りドラム９３に巻き取られたワイヤ９２が下方に引き出されていき、折り畳まれた上扉４と下扉５が拡開しながら全体として下動して垂直姿勢となって、開口部が閉鎖される。
【００１８】
巻き取りドラム９３の巻き取り面はテーパかつワイヤ９２を位置決め案内する溝が形成されており、扉体の開閉時の位置によってワイヤ９２の巻き取り径を異ならしめるようにしており、扉体が開口部上限近傍まで上動した場合にバランススプリングのトルク減少分を補完するようにしている。図１に示すように、開口部閉鎖時には、ワイヤ９２の上端側は巻取りドラム９３の大径部に巻き取られ、扉体の上動に伴ってワイヤ９２がテーパに沿って巻き取りドラム９３上で小径方向に巻き取られていく。
【００１９】
上扉４の上端面４０、左右の側面４２に沿って水密部材１０Ａ、１０Ｂが設けてある。水密部材１０Ａ、１０Ｂは、例えば、ゴムから形成された長尺部材であり、開口部閉鎖時に、水密部材１０Ａ、１０Ｂのフィンが開口枠の上枠１、左右側枠２の上半部に密接することで水密性能・気密性能を発揮する。
【００２０】
同様に、下扉５の下端面５１、左右の側面５２に沿って水密部材１０Ｃ、１０Ｄが設けてある。水密部材１０Ｃ、１０Ｄは、例えば、ゴムから形成された長尺部材であり、開口部閉鎖時に、水密部材１０Ｃ、１０Ｄのフィンが開口部の下枠３、開口部の左右側枠２の下半部に密接することで水密性能・気密性能を発揮する。
【００２１】
上扉４の左右の水密部材１０Ｂの下端と下扉５の左右の水密部材１０Ｄの上端とは密接しており（図示の態様では、四周のコーナーに位置して各水密部材の端部が傾斜縁となっており、傾斜縁同士が密接している）、したがって、垂直姿勢にある扉体（上扉４と下扉５からなる）の四周に亘って水密部材１０Ａ、１０Ｂ、１０Ｃ、１０Ｄが設けられることになり、開口部閉鎖時には、四周状の水密部材１０Ａ、１０Ｂ、１０Ｃ、１０Ｄが開口部の左右の側枠２、上枠１、下枠３に密接することで、水密性能・気密性能を発揮し、荷箱内部への雨水や埃等の侵入を防止する。なお、上扉４と下扉５の接続部、すなわち、上扉４の下端面４１と下扉５の上端面５０との間に水密部材（図示せず）を設けてもよい。
【００２２】
上述のように、下扉５の下方部位に設けたガイドローラ６は、開口部閉鎖時（垂直姿勢）において、下扉５の下端面５１（下枠３の上面３０）よりも下側に位置している。ガイドレール７の下端は、下扉５の下端面５１（下枠３の上面３０）よりも下側に延びており、開口部閉鎖時（垂直姿勢）では、下扉５のガイドローラ６は下扉５の下端面５１（下枠３の上面３０）よりも下方位置でガイドレール７に受け入れられている。本実施形態においてガイドローラ６が設けられる位置は次に述べるように、折り戸の円滑な開閉操作を確保する上において重要である。
【００２３】
ガイドローラ６を下扉５の下端面５１よりも下側に位置させることで、下扉５の下側のコーナー部の水密部材１０Ｃ、１０Ｄ、すなわち、下扉５の側面５２の水密部材１０Ｄの下端、下扉５の下端面５１の水密部材１０Ｃの長さ方向両端部、が開口部側枠２と干渉することを防止あるいは干渉の度合いを少なくしている。もし、ガイドローラ６が下扉５の下端面５１よりも上側に位置するような場合には、下扉５の下側コーナー部と開口部側枠２との干渉の度合いが大きくなって、円滑な開閉操作に支障を来し、水密部材１０Ｃ、１０Ｄをコーナー部において大きく切り欠く必要が生じ、水密性能・気密性能が減殺されてしまうことになる。ガイドローラ６を下扉５の下端面５１よりも下側に位置させることで、下扉５の下側コーナー部と開口部側枠２の干渉を無くしあるいは干渉の度合いを少なくすることができ、コーナー部における水密部材１０Ｃ、１０Ｄの切り欠きを不要とし、あるいは切り欠きが必要となった場合であっても、水密性能・気密性能に影響を与えない程度の小さな切り欠きに留めることができる。
【００２４】
本実施形態では、荷箱側と扉装置側の双方に水切り部材を設けることで、扉体の開放時、閉鎖時のいずれの場合にも、荷箱内への雨水の侵入を可及的に防ぐようにしている。より具体的には、開口部の上枠１には第１水切り片１１が設けてあり、上扉４の上端部位には第２水切り片１２が設けてある。第１水切り片１１は、上扉４の少なくとも全幅に亘って幅方向に水平状に延びる長尺部材であり、本実施形態では、上扉４の幅寸法よりも大きい長さ寸法を備えている。第２水切り片１２は、上扉４の略全幅に亘って幅方向に水平状に延びる長尺部材であり、上扉４の上端面４０に設けた水密部材１０Ａを外側から覆うように上扉４に設けられる。第１水切り片１１と第２水切り片１２は、近接して設けることで協働して荷箱内への雨水の侵入を防止するものでありながら、上扉４の開閉動作時、第１水切り片１１と第２水切り片１２が干渉しないような形状・配置となっている。
【００２５】
第１水切り片１１は、上枠１から外側に向かって延びる水平片１１０と水平片１１０の先端から垂下する垂直片１１１と、を備えている。第２水切り片１２は、上扉４の外側の面部４３の上方部位から外側に向かって延びる水平片１２０と、水平片１２０の先端から立ち上がる垂直片１２１と、垂直片１２１の先端を僅かに外側に折り曲げた折曲片１２２と、を備えている。
【００２６】
開口部閉鎖時の垂直姿勢において、上枠１の見付面と上扉２の外側の面部４３は略面一にあり、第１水切り片１１の水平片１１０の突出寸法は、第２水切り片１２の水平片１２０の突出寸法よりも大きく、第１水切り片１１の垂下片１１１は、第２水切り片１２の垂直片１２１よりも外側に位置しており、また、第１水切り片１１の垂下片１１１の下端の高さ位置と第２水切り片１２の垂直片１２１の上端の高さ位置は略一致している。第２水切り片１２の垂直片１２１の上端には外側に折り曲げた折曲片１２２が形成されているが、第１水切り片１１の垂直片１１１は、第２水切り片１２の折曲片１２２の先端よりもさらに外側に位置している。すなわち、第１水切り片１１の水平片１１０の突出寸法は、第２水切り片１２の水平片１２０の突出寸法＋折曲片１２２の突出寸法、よりも大きい。
【００２７】
上述のように、第１水切り片１１の水平片１１０の突出寸法は、第２水切り片１２の水平片１２０の突出寸法よりも大きくし、第１水切り片１１の垂下片１１１は、第２水切り片１２の垂直片１２１よりも外側に位置させてあるので、上扉４の開閉動作時、第１水切り片１１と第２水切り片１２が干渉することがない。なお、上扉４の開閉動作時、第１水切り片１１と第２水切り片１２が干渉しなければ、第２水切り片１２の垂直片１２１の上端の高さ位置を、第１水切り片１１の垂下片１１１の下端の高さ位置よりも上方に位置させてオーバラップさせてもよい。また、第２水切り片１２の水平片１２０及び垂直片１２１の長さ寸法は、開口部開放時に上扉４が外側に回動した時に、垂直片１２１の上端が上枠１に干渉しないように設計される。
【００２８】
開口部閉鎖時（垂直姿勢）においては、図２に示すように、上扉４の上端面４０の水密部材１０が上枠１に密接して水密性能・気密性能を発揮するが、水密部材１０の外側に位置して、さらに、第１水切り片１１、第２水切り片１２を配置することで、上扉４の上方部位の水密性能・気密性能をより確実なものとすることができる。雨水が下方から上方に吹き上げられたような場合には、第１水切り片１１の垂直片１１１の下方から雨水が吹き込み得るが、第２水切り片１２の垂直片１２１、及び、垂直片１２１の上端に形成した折曲片１２２が雨水の吹き込みを可及的に防止する。
【００２９】
開口部開放時（折り畳み姿勢）においては、上扉４の上端面４０の水密部材１０が上枠１から離間して隙間が形成されるが、図４に示すように、第１水切り片１１の垂下片１１１の下端の下方には傾斜姿勢の第２水切り片１２の垂直片１２１が位置しており、第１水切り片１１の垂下片１１１を辿って滴下した雨水は傾斜状の垂直片１２１に案内されて傾斜状の上扉４の外側の面部４３に逃がされるので、開口部開放時の雨水の侵入が防止される。また、図示の態様では、傾斜姿勢の垂直片１２１の上端側が第１水切り片１１の内側へ入り込むと共に、上端の折曲片１２２(立ち上がり姿勢となっている)の上端が第１水切り片１１の垂直片１１の下端よりも僅かに上方に位置しており、雨水の吹き込みを可及的に防止している。
【００３０】
下扉５にはロック装置が設けてある。下扉５の外側の面部５３には扉装置の折り戸の開閉を手動操作するための手動操作部１３が設けてあり、手動操作部１３がロック装置の操作部を兼用している。下扉５の内側の面部５４に沿って幅方向左右それぞれに突出可能な係止ロッド１４が設けてあり、ロック装置の操作部の操作に係止ロッド１４の動作を連動させるように構成し、開口部閉鎖時（垂直姿勢）において、係止ロッド１４の先端をガイドレール７内に突出させて係止させることで、下扉５の移動を規制して扉装置の開放を防止する。
【００３１】
本発明の他の実施形態に係る貨物車両の荷箱の扉装置について、図８〜図１７に基づいて説明する。図８は、貨物車両の荷箱の開口部を開閉する扉装置の正面図、図９は、同側面図（開口部閉鎖状態）、図１０は、同側面図（開口部開放状態）である。同一の構成要素については、明細書全体を通して同じ参照番号が付してあり、同じ参照番号が付された部材の説明については、上述の実施形態に係る記載を援用することができる。
【００３２】
荷箱の後端の開口部を開閉する扉装置は、ヒンジ４５を用いて屈折可能に連結された上扉４と下扉５からなる上下折り戸である。上扉４の上端側は開口部の上枠１に回動可能に連結されており、下扉５の下方部位には下扉５の幅方向の左右両側に位置してガイドローラ６が設けてあり、ガイドローラ６は、開口部の幅方向左右両側に立設されたガイドレール７内を上下に移動可能となっている。図９に示すように、ガイドローラ６は、下扉５の下端面５１よりも下側に位置して設けてあり、下扉５の下方部位に設けたガイドローラ６は、開口部閉鎖時（垂直姿勢）において、下枠３の上面３０よりも下側に位置している。すなわち、ガイドレール７の下端は、垂直姿勢にある下扉５の下端面５１及び下枠３の上面３０よりも下側に延びており、開口部閉鎖時（垂直姿勢）では、下扉５のガイドローラ６は下端面５１及び下枠３の上面３０よりも下方位置でガイドレール７に受け入れられている。
【００３３】
下扉５の下方部位に設けたブラケット８に設けた軸部６´にはワイヤ９２の下端が固定されており、図９に示す上扉４及び下扉５の開口部閉鎖時（垂直姿勢）において、折り戸（上扉４及び下扉５）の上方への移動に伴って、ガイドローラ６がガイドレール７に案内されながら上動し、ワイヤ９２の上端側が巻き取りシャフト９の巻き取りドラム９３に巻き取られていき、上扉４と下扉５が折り畳まれながら全体として上動して折り畳み姿勢となって、開口部が開放されて図１０に示す折り畳み姿勢となる。
【００３４】
図１０に示す上扉４及び下扉５の開口部開放時（折り畳み姿勢）において、折り戸（上扉４及び下扉５）の下方への移動に伴って、ガイドローラ６がガイドレール７に案内されながら下動し、巻き取りドラム９３に巻き取られたワイヤ９２が下方に引き出されていき、折り畳まれた上扉４と下扉５が拡開しながら全体として下動して垂直姿勢となって、開口部が閉鎖されて図９に示す垂直姿勢となる。
【００３５】
上扉４の上端側の回動構成について、図１１、図１２を参照しつつ、説明する。上扉４の外側の面部４３の上方部位には、上扉４の全幅に亘って幅方向に延びる回動片１５の下端側が固定されている。回動片１５は、上扉４の上端部４０に設けた水密部材１０Ａを外側から覆うように上扉４の外側の面部４３から持ち出し状に設けられる。回動片１５は、上扉４が垂直姿勢にある状態で、面部４３に固定された下端側の下側垂直部１５０と、面部４３から離間するように外側に向かって傾斜状に上方に延びる傾斜部１５１と、さらに、上扉４の上端面４０を越え、水密部材１０Ａに離間対向しながら垂直状に上方に延びる上側垂直部１５２と、上枠１の面部に向かって膨出するように湾曲形成された上端側の円弧状部１５３と、を備え、円弧状部１５３の内周面には外側（上枠１の面部から離間する側）に向かって径方向(円弧状部についての接平面に垂直な方向)に延びる係止部１５４が形成されている。係止部１５４の先端には幅方向に延びる小径の軸部が一体形成されており、軸部が上扉４の上端側の回動中心４０１´となる。回動中心４０１´は、開口部閉鎖姿勢にある上扉４の上端面４０よりも上方かつ上扉４の外側の面部４３よりも外側に位置しており、開口部開放時（折り畳み姿勢）では、上扉４および下扉５をより高い位置で折り畳み姿勢とすることができ、有効開口高を大きくするようにしている。
【００３６】
上枠１の外側の面部には、上扉４の全幅に亘って幅方向に延びる回動受片１６が固定されている。回動受片１６は、上枠１の外側の面部に固定された上側垂直部１６０と、上側垂直部１６０の下端から外側に突出する水平部１６１と、水平部１６１の下面から上枠１の面部に向かって膨出するように湾曲形成された円弧状部１６２と、水平部１６１の下面から、円弧状部１６２の外側に位置して垂下する被係止部１６３と、から形成されている。被係止部１６３の円弧状部１６２に対向する面には、幅方向に延びる溝部が形成されており、回動片１５の係止部１５４の軸部を回転可能に受け入れる被係止部となっている。回動片１５の円弧状部１５３の外径と回動受片１６の円弧状部１６２の内径は一致しており、回動片１５は、軸部を回動中心４０１´として、円弧状部１５３の外周面が回動受片１６の円弧状部１６２の内周面に摺動しながら回動する。被係止部１６３の外側面も湾曲面となっており、回動片１５の上方への回動に伴い、被係止部１６３の外側面が回動片１５の円弧状部１５３の内方に入り込むようになっている（図１２参照）。回動受片１６の被係止部１６３の先端（下端）が回動片１５の円弧状部１５３の内面に近接することで（図１１、図１２参照）、回動片１５の円弧状部１５３の内面への水分の浸入を可及的に防止しており、円弧状部１５３の内方へ浸入した水分は、係止部１５４によって、さらに内部に浸入することが防止される。
【００３７】
回動受片１６の円弧状部１６２の内周面の基端側（上端側）、換言すると、被係止部１６３の円弧状部１６２に対向する面の基端側（上端側）には、幅方向に延びる溝部が形成されており、当該溝部には水密部材１７が充填されている。水密部材１７は、例えば、長尺状のゴムから形成される。開口部閉鎖状態では、回動片１５の円弧状部１５３の先端（上端）が水密部材１７に当接しており、円弧状部１５３の外周面と回動受片１６の円弧状部１６２の内周面との間への水分の浸入を防止している。
【００３８】
回動受片１６の円弧状部１６２の外周面は上枠１の外側の面部に当接しており、円弧状部１６２の内周面の下端は、上枠１の外側の面部から離間していると共に、開口部閉鎖状態における上扉４の上端の水密部材１０Ａよりも外側に位置している（図１１参照）。したがって、仮に、円弧状部１５３の外周面と回動受片１６の円弧状部１６２の内周面との間から水分がにじみ出した場合であっても、上枠１や水密部材１０Ａに直接伝わることがないようになっている。
【００３９】
開口部閉鎖状態において、回動片１５は、上枠１と上扉４の上端の水密部材１０Ａの外側に位置して、全幅に亘って覆うように設けてあり、上枠１と上扉４の上端の水密部材１０Ａに水分が浸入することを防止している。開口部開放状態においては、上枠１と上扉４の上端の水密部材１０Ａとの間に隙間が形成されるが、上側に回動して水平に近い姿勢となった回動片１５が、上枠１と上扉４の上端の水密部材１０Ａとの間に形成された隙間を上方から塞ぐように位置するので、雨水は回動片１５、上扉４の面部４３を伝って流れ、後述する水切り片１９の溝部で回収されるようになっており、当該隙間から雨水が浸入することを防止する。また、回動受片１６の被係止部１６３の外側面が円弧状部１５３の内面に近接することで円弧状部１５３の内方への雨水の浸入を可及的に防ぎ、さらに円弧状部１５３の内方へ浸入した水分は、係止部１５４によって、さらに内部に浸入することが防止される。このように、本実施形態では、回動片１５（回動受片１６）が水切り部材として機能することで、扉体の開放時、閉鎖時のいずれの場合にも、荷箱内への雨水の侵入を可及的に防ぐようにしている。
【００４０】
上扉４と下扉５が垂直姿勢にある開口部閉鎖姿勢において、上扉４の下端面４１と下扉５の上端面５０は間隔を存して対向することで隙間が形成されており、当該隙間は、上扉４の下端面４１に装着された緩衝材（例えば、ゴムパッキング）１８によって塞がれている（図１３左図）。緩衝材１８は上扉４の全幅に亘って延びており、緩衝材１８により隙間が塞がれた状態では、緩衝材１８の下端が下扉５の外側の面部５３の上端部位に幅方向に亘って当接しているので、開口部閉鎖時における止水性が良好である。前記隙間は、下端面４１と上端面５０間に指が挟まれることがないような大きさを備えている。垂直姿勢から、上扉４と下扉５が屈折すると、上扉４の下端面４１と下扉５の上端面５０との間に空間が形成されるが、当該空間は概ね緩衝材１８によって覆われており、また、仮に当該空間に指を差し入れたとしても、柔軟な緩衝材１８が指に当たるだけであり、かつ、緩衝材１８の内側に位置して十分に広い隙間が形成されているため、上扉４の下端面４１と下扉５の上端面５０との間に指が挟まれることがない（図１３右図参照）。
【００４１】
上扉４の下端には外側に位置して、上扉４の全幅に亘って延びる水切り片１９が装着されている。水切り片１９は、上側が開口状の凹溝を備えており、開口部閉鎖姿勢では、上扉４の外側の垂直状の面部４３を伝って落下する雨水を凹溝で回収して、上扉４の下端面４１と下扉５の上端面５０との間に浸入することを可及的に防止する（図１３左図参照）。開口部開放姿勢では、上扉４の外側の傾斜状の面部４３を伝って落下する雨水を凹溝で回収して、下方に位置するであろう作業者や荷物に落下することを可及的に防止する（図１４）。開放姿勢にある折り戸を閉鎖する際に、上扉４の面部４３に付着した雨水は面部４３を伝って流れ落ちて水切り片１９の凹溝で回収される。なお、図示の態様では、上扉４の下端部、下扉５の上端部は、それぞれ、端縁部材４１´、５０´が取り付けてあり、ヒンジ４５は、端縁部材４１´、５０´に対して取り付けられ、緩衝材１８は、端縁部材４１´に対して取り付けられ、閉鎖姿勢では緩衝材１８の下端が端縁部材５０´に接触し、水切り片１９は、端縁部材４１´と一体形成されている。
【００４２】
下扉５の外側の面部５３には扉装置の折り戸の開閉を手動操作するための操作ハンドル１３´が設けてあり、開口部閉鎖姿勢において、操作ハンドル１３´を掴んで下扉５を上方に持ち上げることで、開口部を開放する。操作ハンドル１３´はロック装置の操作部を兼用している。操作ハンドル１３´は上側位置（施錠状態）と下側位置（解錠状態）との間で上下に回動可能となっており、操作ハンドル１３´の上下回動に連動して左右の係止ロッド１４が水平方向に往復動するようになっている。より具体的な構成を、図１５、図１６、図１７に基づいて説明する。操作ハンドル１３´の基端側は回動筒２０と連結されており、回動筒２０には左右のガイド溝２００が形成されている。左右の係止ロッド１４の基端側部位（スライダー）１４０にはガイド溝２００内に突出するガイド突起１４１が設けてあり、回動筒２０の回動に伴ってガイド突起１４１がガイド溝２００に案内されて水平方向に移動することで、係止ロッド１４が下扉５の内側の面部５４に取り付けられたロッドガイド１４２に案内されて水平方向に移動する。
【００４３】
操作ハンドル１３´が上側位置にある時には、左右の係止ロッド１４の先端がガイドレール７内に突出した施錠姿勢にあり、この上側位置において、操作ハンドル１３´は下扉５の外側の面部５３に設けた保持手段２１によって保持されている。より具体的には、保持手段２１は嵌合受部であり、操作ハンドル１３´を上側位置まで回動させた時に、操作ハンドル１３´の横バーの延長部に形成した嵌合部１３０が保持手段（嵌合受部）２１に着脱可能に嵌合するようになっている。上側位置にある操作ハンドル１３´を手動で下方に回動させることで、保持手段２１による上側位置の保持は解除される。
【００４４】
操作ハンドル１３´を上側位置から下方に下げることで係止ロッド１４の先端がガイドレール７から退避して解錠姿勢となる。したがって、開放姿勢にある折り戸を、操作ハンドル１３´を掴んで下方に引き下げて閉鎖する際に、操作ハンドル１３´には下向きの力が作用するため、折り戸の閉鎖途中で操作ハンドル１３´が上側位置となって係止ロッド１４がガイドレール７に当接してしまうようなことがない。
【００４５】
ロック装置は、外側に面して設けた鍵孔２２と、鍵孔２２にキーを差し入れた回動操作に連動して回動する平面視Ｌ形状のストッパー２３と、係止ロッド１４の基端側に設けた被当接部２４と、を備えている。ロック装置が施錠姿勢にある時に、鍵孔２２にキーを差し入れてストッパー２３を回動させて、係止ロッド１４の基端側に設けた被当接部２４に当接させることで、施錠姿勢にある係止ロッド１４のガイドレール７から退避する方向の移動を規制し、操作ハンドル１３´の下方への回動操作を規制する。
【符号の説明】
【００４６】
４  上扉
５  下扉
６  ガイドローラ
６０  ローラ軸
７  ガイドレール
９  スプリング内蔵巻き取りシャフト
９２  ワイヤ
９３  巻き取りドラム
９４  スプリング
１０Ａ〜１０Ｄ  水密部材
１１  第１水切り片
１２  第２水切り片
１５  回動片
１６  回動受片
【図１】
0005604363.tif 000002
【図２】
0005604363.tif 000003
【図３】
0005604363.tif 000004
【図４】
0005604363.tif 000005
【図５】
0005604363.tif 000006
【図６】
0005604363.tif 000007
【図７】
0005604363.tif 000008
【図８】
0005604363.tif 000009
【図９】
0005604363.tif 000010
【図１０】
0005604363.tif 000011
【図１１】
0005604363.tif 000012
【図１２】
0005604363.tif 000013
【図１３】
0005604363.tif 000014
【図１４】
0005604363.tif 000015
【図１５】
0005604363.tif 000016
【図１６】
0005604363.tif 000017
【図１７】
0005604363.tif 000018